(57)【要約】【課題】  ＰＤＰ装置において、使用環境にかかわらず、蛍光体劣化による発光特性の経時変化を正しく補正して、輝度ムラや色度ムラなどのない均一な画質を得る。【解決手段】  累積パルス数検出記憶部１０２は、表示部２００中の各特定画素について、発光に寄与した累積パルス数を記憶する。監視画素特性評価記憶部１０４は、監視部３００を用いて測定した各色輝度情報を取り込み、その値から各色の発光特性を評価して、累積パルス数と対応付けて発光特性算出用メモリに記憶する。映像補正装置１０５は、補正用テーブルに記憶されている各色の補正値を、発光特性算出用メモリに記憶された累積パルス数と輝度低下レベルとの関係に基づいて更新する。また、各指定領域ごとの入力映像信号１０１は、当該指定領域に対応する特定画素の累積パルス数と、監視画素を用いて測定した累積パルス数と輝度低下レベルとの関係とに基づいて補正する。【選択図】        図１
2006292860.tif 000002
【特許請求の範囲】
【請求項１】
蛍光体が塗布された複数の表示画素からなる表示領域を有し、入力される映像信号にもとづいて前記複数の表示画素にパルスを印加して点灯させることによって映像を表示するプラズマディスプレイ装置であって、
前記表示領域に含まれる画素から選択された特定画素について累積パルス数を記憶する累積パルス数記憶手段と、
前記複数の表示画素の点灯に伴ってパルスが印加されて点灯される監視画素について、発光特性を検出する発光特性検出手段と、
前記監視画素についての累積パルス数と発光特性とを対応づけて記憶する発光特性記憶手段と、
前記累積パルス数記憶手段に記憶された累積パルス数と、前記発光特性記憶手段に記憶された累積パルス数と発光特性との対応関係に基づいて、
前記表示領域の全体または一部を指定領域として、当該指定範囲に含まれる表示画素の点灯状態を補正する映像補正部とを備えることを特徴とするプラズマディスプレイ装置。
【請求項２】
前記映像補正部は、
前記累積パルス数記憶手段に記憶された累積パルス数と、前記発光特性記憶手段に記憶された累積パルス数と発光特性との対応関係に基づいて、
前記表示画素の点灯パルス数を補正することを特徴とする請求項１記載のプラズマディスプレイ装置。
【請求項３】
前記映像補正部は、
前記累積パルス数記憶手段に記憶された累積パルス数と、前記発光特性記憶手段に記憶された累積パルス数と発光特性との対応関係に基づいて、入力映像信号を補正し、
前記表示画素は、補正された映像信号に基づいて点灯されることを特徴とする請求項２記載のプラズマディスプレイ装置。
【請求項４】
前記各表示画素及び監視画素は、複数色の放電セルから構成され、
前記累積パルス数記憶手段は、各色ごとに累積パルス数を記憶し、
前記発光特性検出手段は、監視画素について各色ごとに発光特性を検出し、
前記発光特性記憶手段は、各色ごとに、前記監視画素についての累積パルス数と発光特性とを対応づけて記憶し、
前記映像補正部は、各色ごとに、前記累積パルス数記憶手段に記憶された累積パルス数と、前記発光特性記憶手段に記憶された累積パルス数と発光特性との対応関係に基づいて、指定範囲に含まれる表示画素の点灯状態を補正することを特徴とする請求項１〜４のいずれか記載のプラズマディスプレイ装置。
【請求項５】
前記表示領域は、複数の指定範囲に分割されていることを特徴とする請求項１〜４のいずれか記載のプラズマディスプレイ装置。
【請求項６】
前記指定領域を構成する全ての表示画素が前記特定画素であることを特徴とする請求項１〜５のいずれか記載のプラズマディスプレイ装置。
【請求項７】
前記特定画素は、前記指定範囲に含まれる全表示画素から一部が選択されたものであることを特徴とする請求項５記載のプラズマディスプレイ装置。
【請求項８】
前記指定範囲は、特定画素を中心として広がる縦(2n+1)個×横(2m+1)個の表示画素範囲(n,mは０〜５の整数)であることを特徴とする請求項７記載のプラズマディスプレイ装置。
【請求項９】
前記監視画素には、
前記表示画素に用いられているものと同種の蛍光体が塗布されていることを特徴とする請求項１〜８のいずれか記載のプラズマディスプレイ装置。
【請求項１０】
前記監視画素は、
前記表示領域とは別の領域に設けられていることを特徴とする請求項１〜９のいずれか記載のプラズマディスプレイ装置。
【請求項１１】
前記監視画素は、
２箇所以上に設置されていることを特徴とする請求項１０記載のプラズマディスプレイ装置。
【請求項１２】
前記複数の表示画素の点灯状態に合わせて、前記監視画素にパルスを印加して点灯させる監視画素駆動部を備えることを特徴とする請求項１〜１１のいずれか記載のプラズマディスプレイ装置。
【請求項１３】
前記累積パルス数検出手段は、
特定画素の点灯が静止画及び動画のいずれにかかるかを判定し、
静止画にかかる累積パルスまたは動画にかかる累積パルスを選択的に数えることを特徴とする請求項１〜１２のいずれか記載のプラズマディスプレイ装置。
【請求項１４】
前記監視画素には、
静止画に相当する累積パルスを印加して点灯させる静止画用監視画素、及び、動画に相当する累積パルスを印加して点灯させる動画用監視画素の少なくとも一方が含まれることを特徴とする請求項１３記載のプラズマディスプレイ装置。
【請求項１５】
前記特性検出手段では、前記監視画素の輝度を経時的に測定することを特徴とする請求項１〜１４のいずれか記載のプラズマディスプレイ装置。
【請求項１６】
前記特性検出手段では、監視画素の色度を測定し、
映像補正部では、
色度変化を補正することを特徴とする請求項１〜１４のいずれか記載のプラズマディスプレイ装置。
【請求項１７】
前記特性検出手段は、
前記監視画素に対して電気的な測定を行い、その測定結果から蛍光体の特性を検出することを特徴とする請求項１〜１４のいずれか記載のプラズマディスプレイ装置。
【請求項１８】
前記特定画素記憶手段及び前記監視画素の記憶手段及び前記映像補正装置のいずれかは、
当該ディスプレイを構成する基板の外部に設けられていることを特徴とする請求項１〜１７のいずれか記載のプラズマディスプレイ装置。
【請求項１９】
前記前記特定画素記憶手段及び前記監視画素の記憶手段及び前記映像補正装置のいずれかは、インターネットを介したサーバーに設けられていることを特徴とする請求項１８記載のプラズマディスプレイ装置。
【請求項２０】
前記累積パルス数検出手段は、
入力映像信号を演算し、演算値から累積パルス数に変換する機能を備えたことを特徴とする請求項１〜１３のいずれか記載のプラズマディスプレイ装置。
【発明の詳細な説明】
【技術分野】
【０００１】
本発明は、プラズマディスプレイ装置に関する。特に、蛍光体を塗布したセルで各色発光するカラープラズマディスプレイ装置に関する。
【背景技術】
【０００２】
映像信号を入力して映像を表示する自発光装置として、プラズマディスプレイパネル（以下ＰＤPとする）装置、有機エレクトロルミネッセンス（EL）装置、フィールドエミッションディスプレイ（ＦＥＤ）装置の開発が活発に行われている。
これら自発光装置の中でも、ＰＤＰは特に大型のディスプレイに適するものとして注目されている。そして、このＰＤＰにおいて、高精細化や大画面化への進展なされているが、今後その傾向がさらに高まることが予想される。
【０００３】
ところでＰＤＰを含むこれらの自発光装置において、各表示画素ごとに累積点灯時間や点灯強度が異なることにより、長時間使用したときに表示画素ごとに発光特性劣化の程度に差が生じ、輝度ムラや色度ムラとなる。そして、そのために色バランスがずれ、一部分で色調が変化するという問題がある。従って、このような輝度ムラや色度ムラを解消する技術が必要となっている。
【０００４】
このような課題に対して、特許文献１には、次のような技術が開示されている。
まず自発光装置中の各画素の累積点灯時間と点灯強度とを検出し、この累積点灯時間と点灯強度を各画素ごとに記憶する。続いて、予め求めておいた輝度劣化のデータをもとに、劣化の生じた画素に書き込まれる映像信号には、劣化の生じていない画素に書き込まれる映像信号に対し、相対的な加算処理を行う。または、劣化の小さい画素に書き込まれる映像信号には、最も劣化の大きい画素に書き込まれる映像信号対し相対的な減算処理を行う。もしくは、これら加算処理と減算処理を同時に行う。
【０００５】
これによって、劣化の生じた画素と劣化の生じていない画素との間で、発光輝度の差が小さくなるので、輝度ムラの解消を図るのに有効である。
【特許文献１】特開２００２−１７５０４１号公報
【発明の開示】
【発明が解決しようとする課題】
【０００６】
上記特許文献１の技術では、予め記憶させた輝度変化のデータを基に補正を行っているので、使用環境によっては、実際の蛍光体劣化を反映した補正がなされず、逆に色バランスを壊す原因にもなりかねない。これは、ＰＤＰ装置のように自発光型の蛍光体に特有の現象である、蛍光体の輝度劣化の起こり方や、色度変化が起こる割合が温度などによって大きく異なっており、実際に使用される温度などの周辺環境は1台1台異なっており、そこに塗布されている蛍光体の環境も自ずと異なってくるためそれぞれにあった補正をかける必要があるためである。
【０００７】
本発明は、上記課題に鑑み、ＰＤＰ装置において、使用環境にかかわらず、蛍光体劣化による発光特性の変化を正しく補正できるようにすることを目的とする。
【課題を解決するための手段】
【０００８】
上記目的を達成するため、本発明においては、蛍光体が塗布された複数の表示画素からなる表示領域を有し、入力される映像信号にもとづいて前記複数の表示画素にパルスを印加することによって映像を表示するプラズマディスプレイ装置において、表示領域に含まれる表示画素から選択された特定画素について累積パルス数を記憶する累積パルス数記憶手段と、複数の表示画素の点灯に伴ってパルスが印加されて点灯される監視画素について、発光特性を検出する発光特性検出手段と、監視画素についての累積パルス数と発光特性とを対応づけて記憶する発光特性記憶手段と、累積パルス数記憶手段に記憶された累積パルス数と、発光特性記憶手段に記憶された累積パルス数と発光特性との対応関係に基づいて、表示領域の全体または一部を指定領域として、当該指定範囲に含まれる表示画素の点灯状態を補正する映像補正部とを設けることとした。
【０００９】
ここで、上記累積パルス数記憶手段が記憶する「累積パルス数」は、特定画素に印加されたパルスの中、発光に寄与したパルスの累積数がわかる情報であって、発光に寄与した全ての維持パルスの数をカウントした累積値であってもよいし、発光に寄与した維持パルス数を間引いてカウントした値でもよい。
ここで、以下のようにすることができる。
【００１０】
映像補正部では、累積パルス数記憶手段に記憶された累積パルス数と、発光特性記憶手段に記憶された累積パルス数と発光特性との対応関係に基づいて、表示画素の点灯パルス数を補正してもよいし、入力映像信号を補正し、補正された映像信号に基づいて表示画素を点灯させてもよい。
各表示画素が複数色の放電セルで構成されている場合、監視画素も複数色の放電セルで構成し、累積パルス数記憶手段では、各色ごとに累積パルス数を記憶し、発光特性検出手段では、監視画素について各色ごとに発光特性を検出し、発光特性記憶手段では、各色ごとに、前記監視画素についての累積パルス数と発光特性とを対応づけて記憶し、映像補正部では、各色ごとに、前記累積パルス数記憶手段に記憶された累積パルス数と、発光特性記憶手段に記憶された累積パルス数と発光特性との対応関係に基づいて、指定範囲に含まれる表示画素の点灯状態を補正する。
【００１１】
表示領域全体を１つの指定領域としてもよいが、表示領域を複数の指定範囲に分割することが好ましい。
特定画素については、指定領域を構成する全ての表示画素を特定画素として選択してもよいが、指定範囲に含まれる全表示画素の中から一部を特定画素として選択することが好ましい。
【００１２】
更に、特定画素を中心として広がる縦(2n+1)個×横(2m+1)個の表示画素範囲(n,mは０〜５の整数)を指定範囲とすることが好ましい。
監視画素には、表示画素に用いられているものと同種の蛍光体を塗布することが好ましい。    監視画素は、表示領域とは別の領域に設けることが好ましく、設ける箇所は１箇所でもよいが、２箇所以上に設置することが好ましい。
【００１３】
複数の表示画素の点灯状態に合わせて、監視画素にパルスを印加して点灯させる監視画素駆動部を設けることが好ましい。
累積パルス数検出手段では、特定画素の点灯が静止画及び動画のいずれにかかるかを判定し、静止画にかかる累積パルスまたは動画にかかる累積パルスを選択的に数えてもよい。この場合、監視画素に、静止画に相当する累積パルスを印加して点灯させる静止画用監視画素、あるいは、動画に相当する累積パルスを印加して点灯させる動画用監視画素を設けてもよい。
【００１４】
特性検出手段では、輝度計などを用いて、監視画素の輝度を経時的に測定することが好ましい。
あるいは、特性検出手段で監視画素の色度を測定し、映像補正部では、色度変化を補正してもよい。
特性検出手段では、監視画素に対して電気的な測定を行い、その測定結果から蛍光体の特性を検出してもよい。例えば壁電荷チャージ量を測定し、その測定値から蛍光体の特性を求める。
【００１５】
累積パルス数記憶手段、発光特性記憶手段及び映像補正装置のいずれかを、当該ディスプレイを構成する基板の外部に設けることが好ましい。
累積パルス数記憶手段、発光特性記憶手段及び映像補正装置のいずれかを、インターネットを介したサーバーに設けてもよい。
累積パルス数検出手段においては、入力映像信号を演算し、その演算値から累積パルス数に変換してもよい。
【発明の効果】
【００１６】
本発明にかかるＰＤＰ装置によれば、累積パルス数記憶手段が、表示領域に含まれる表示画素から選択された特定画素について累積パルス数を記憶し、発光特性検出手段は、複数の表示画素の点灯に伴ってパルスが印加されて点灯される監視画素について発光特性を検出し、発光特性記憶手段が、監視画素に印加された累積パルス数と発光特性とを対応づけて記憶する。そして映像補正部は、累積パルス数記憶手段に記憶された累積パルス数と、発光特性記憶手段に記憶された累積パルス数と発光特性との対応関係に基づいて、表示領域の全体または一部を指定領域として、当該指定範囲に含まれる表示画素の点灯状態を補正する。
【００１７】
このように本発明では、上記先行技術のように予め記憶させた輝度変化のデータを基に補正するのでなく、実際に表示画素が使用される環境と同じ環境下で測定された発光特性に基づいて補正がなされるので、ＰＤＰ装置の使用環境にかかわらず実際の蛍光体劣化を反映した補正がなされる。従って、長期にわたって蛍光体の経時劣化による輝度ムラや色度ムラを防ぐことができる。
【００１８】
各表示画素が複数色の放電セルで構成されている場合、監視画素も複数色の放電セルで構成し、累積パルス数記憶手段、発光特性検出手段、発光特性記憶手段、映像補正部でも、各色ごとに処理すれば、ＰＤＰ装置の使用環境にかかわらず、各色ごとの蛍光体劣化を反映した補正がなされるので、長期にわたって色バランスを保つことができる。
表示領域を複数の指定範囲に分割して、当該指定範囲に含まれる表示画素の点灯状態を補正することによって、表示領域を構成する指定領域間において、蛍光体劣化度合いのばらつきに起因する輝度ムラや色度ムラを低減することができ、均一な表示画面を得ることができる。
【００１９】
指定領域を構成する全ての表示画素を特定画素として選択すれば、補正を精密にするのに有利であるが、累積パルス数記憶手段で特定画素について累積パルス数を記憶するため多くのメモリ容量が必要となる。これに対して指定範囲に含まれる全表示画素の中から一部を特定画素として選択すれば、累積パルス数記憶手段で特定画素について累積パルス数を記憶するためのメモリ容量を低減することができる。
【００２０】
特定画素を中心として広がる縦(2n+1)個×横(2m+1)個の表示画素範囲(n,mは０〜５の整数)を指定範囲とすれば、当該指定範囲内のすべての表示画素が、特定画素から近い位置に存在するので、両者の画素信号は類似している可能性が高い。従って、各特定画素の累積パルス数と、指定領域に含まれる各画素の累積パルス数とが近似しいてる可能性が高く、比較的正確な補正を行なうことができる。
【００２１】
監視画素は、表示領域とは別の領域に設ければ、発光特性検出手段が監視画素について発光特性を検出しやすく、表示映像に悪影響を与えることもない。
監視画素を設ける箇所については、２箇所以上に設置すれば、ＰＤＰ装置内における場所ごとの環境ばらつきにも対応した補正ができる。
累積パルス数検出手段で、特定画素の点灯が静止画及び動画のいずれにかかるかを判定し、静止画にかかる累積パルスまたは動画にかかる累積パルスを選択的に数えれば、静止画あるいは動画による蛍光体劣化に重点を置いた補正ができる。
【００２２】
通常、蛍光体の発光輝度が累積パルス数によって決まるので、特性検出手段では、輝度計などを用いて、監視画素の輝度を経時的に測定し、映像補正部で指定領域に含まれる表示画素の点灯状態を補正することが、輝度ムラを解消する上で特に有効である。
また、特性検出手段で監視画素の色度を測定し、映像補正部で、指定領域に含まれる表示画素の色度変化を補正すれば、特に色度ムラを解消するのに有効である。
【００２３】
累積パルス数記憶手段、発光特性記憶手段及び映像補正装置のいずれかを、ディスプレイを構成する基板の外部に設けたり、累積パルス数記憶手段、発光特性記憶手段及び映像補正装置のいずれかを、インターネットを介したサーバーに設けたりすれば、ディスプレイ装置自体に設けるメモリの記憶容量は小さくても、外部のメモリを用いて補正を行なうことができる。
【発明を実施するための最良の形態】
【００２４】
以下、本発明の最良の実施の形態を、図面を参照しながら詳細に説明する。
本実施の形態に係るＰＤＰ装置は、表示領域を備えたＰＤＰ（パネル部分）と、当該ＰＤＰを駆動する駆動装置とを備えている。
（ＰＤＰ装置の全体構成）
図１は、本実施形態にかかるＰＤＰ駆動装置の構成を示す回路ブロック図である。
【００２５】
図１に示すように、ＰＤＰ駆動装置１００は、外部の映像出力器から入力されてくる映像信号１０１に基づいて、特定画素ごとに累積パルス数を検出し記憶する累積パルス数検出記憶部１０２、特定画素の累積パルス数検出記憶部１０２に記憶された特定画素の累積パルス数に対応して、監視部３００を点灯させ監視部３００を駆動する監視画素駆動部１０３、経時的に監視部３００の発光特性を判断し、その累積パルス数と監視部３００の発光特性とを対応付けて記憶する（すなわち蛍光体特性変化曲線を記憶する）監視画素特性評価記憶部１０４、累積パルス数検出記憶部１０２に記憶された特定画素ごとの累積点灯時間及び監視画素特性評価記憶部１０４に記憶された累積パルス数−発光特性の関係に基づいて、入力映像信号を補正する映像補正装置１０５、その映像補正装置１０５で補正された補正映像信号１０６に基づいて表示部２００に画像を表示するよう駆動する表示駆動部１１０を有する。
【００２６】
表示部２００は、各色蛍光体を備えた放電セルで構成される画素が縦横に多数配列されて構成されており、ＰＤＰ駆動装置１００によって駆動されて点灯されることによって、画像を形成する。本実施形態では、各画素は、赤（R）色セル、緑（G）色セル、青（B）色セルから構成されており、各色セルが入力映像信号に応じたパルス数だけ点灯されてカラーで階調表示されるようになっているものについて説明するが、各画素が単一色のセルで構成されている場合も同様にして実施できる。
【００２７】
図３は、表示部２００の一部分（一画素に相当する部分）を抜き出して示す斜視図である。
当図を参照しながら表示部２００の構成を説明する。
ＰＤＰは、前面パネル２１０と背面パネル２２０とが対向配置され、互いの外周部どうしで封止されて密閉容器が形成され、両パネル２１０、２２０間に形成される放電空間２３０には、Ｎｅ−Ｘｅ系の放電ガスが所定の圧力で封入されている。
【００２８】
前面パネル２１０は、前面基板２１１の内側表面上に、スキャン電極２１２と複数のサスティン電極２１３からなる表示電極対が横方向に複数配され、これら表示電極２１２、２１３を覆って誘電体層２１４および保護層２１５が積層されて構成されている。スキャン電極２１２及びサスティン電極２１３はそれぞれ、例えばＩＴＯ（Indium  Tin Oxide）からなる透明電極２１２ａ、２１３ａと、銀（Ａｇ）などの金属材料からなるバスライン２１２ｂ、２１３ｂとが積層された構造である。
【００２９】
そして複数対の表示電極２１２，２１３上を覆うように、例えば低融点鉛ガラスからなる誘電体層２１４が形成され、その上にＭｇＯからなる保護層２１５が形成されている。
他方、背面パネル２２０は、背面基板２２１の内側表面上に、縦方向に伸びるデータ電極２２２が複数形成され、この複数のデータ電極２２２上を覆って、例えば低融点鉛ガラスにＴｉＯ2が混入された材料からなる誘電体層２２３が配され、当該誘電体層２２３上における隣り合うデータ電極２２２間に隔壁２２４が立設され、隔壁２２４間の溝に蛍光体層２２５が配設されている。蛍光体層２２５は、赤色蛍光体層２２５Ｒ、緑色蛍光体層２２５Ｇ、青色蛍光体層２２５Ｂに分かれて形成されている。各蛍光体層２２５Ｒ、２２５Ｇ、２２５Ｂを構成する各蛍光体としては、以下に示すようなものが使用される。
【００３０】
赤色蛍光体；（Ｙ、Ｇｄ）ＢＯ3：Ｅｕ
緑色蛍光体；Ｚｎ2ＳｉＯ4：Ｍｎ
青色蛍光体；(Ｂａ,Ｓｒ)ＭｇＡｌ10Ｏ17：Ｅｕ
表示電極２１２、２１３とデータ電極２２２とは立体交差しており、各交差箇所に上記各色セルが形成されている。
【００３１】
ＰＤＰ駆動装置１００による表示部２００の駆動について説明する。
このＰＤＰ駆動装置１００は、１フィールドを、固有の輝度重みを持った複数のサブフィールドに時分割して、各サブフィールドごとに一画面の書き込み及び発光維持を行なう方式でＰＤＰを駆動する。
入力映像信号１０１は、画像データと水平同期信号Hsyncと垂直同期信号Vsyncおよびクロック信号の４種類である。画像データは、R,G,B各色毎に８ビット〜１２ビットのデジタルデータからなり、あらかじめプログレッシブ方式に処理されている。
【００３２】
入力映像信号１０１は、映像補正装置１０５で補正されて補正映像信号１０６として表示駆動部１１０に入力され、ここで、一画面分がフィールドメモリに記憶される。そして、表示駆動部１１０では、サブフィールドごとに、フィールドメモリに記憶された映像信号に基づいて、スキャン電極２１２とデータ電極２２２との間に選択的に電圧を印加して表示部２００に書き込みを行なう。その後、サブフィールドの輝度重みに相当する数（すなわち、サブフィールドの輝度重みに一定数「モード数」をかけた数）だけ、表示電極２１２、２１３に維持パルスを印加すると、各画素を構成するＲ色セル、Ｇ色セル、Ｂ色セルの中で、書き込みが行なわれたものだけ放電維持される。
【００３３】
１フィールド内でこのような動作が繰り返されることにより、各画素は入力画素信号に応じた発光輝度および色度で発光する。それによって、補正映像信号１０６に相当する一画像が表示部２００に表示される。
図２は、ＰＤＰ（パネル部分）の構成を示す平面図である。当図に示されるように、ＰＤＰの中央部分に表示部２００が設けられ、外周部に監視部３００が設けられている。
【００３４】
監視部３００にはセルの発光特性を測定するために輝度計などを装着する必要があるので、上記のように監視部３００を表示部２００とは別の領域に設けることが好ましいが、監視画素を表示部２００の領域内に設けてもよい。例えば、表示部２００における４隅近傍の画素を監視画素として用いてもよい。
あるいは、表示部２００に含まれる全ての表示用画素の一部に監視画素を兼用させてもよい。
【００３５】
（監視部３００の構成）
監視部３００には、表示部２００の画素を構成する各色セルと同一構造または類似構造を有するセルが設けられている。そして監視部３００の各セルには、監視画素駆動部１０３によって、表示部２００に印加する駆動パルスと同様の駆動パルスが印加され、累積パルス数が同程度となるように点灯駆動される。
【００３６】
すなわち、監視部３００を複数のセルで構成し各セルに蛍光体層を配設する。そして、各セルを個別に点灯させる必要がある場合は、表示部２００と同じように、表示電極及びデータ電極が立体交差して臨むようにする。そして、監視画素駆動部１０３によって、スキャン電極とデータ電極との間に選択的に電圧を印加して書き込みを行なった後、表示電極に維持パルスを印加する。これによって、各セルごとに所定数の維持パルスを印加して点灯させることができる。
【００３７】
一方、監視部３００を構成する複数のセルを個別に点灯させる必要のない場合は、データ電極を省いても、全てのセルが点灯されるように表示電極に維持パルスを印加することによって、所定数の維持パルスを印加して点灯させることができる。
このような監視部３００は、ＰＤＰの製造過程において、表示部２００と同時に作製し、表示部２００及び監視部３００の排気や放電ガスの注入についても同時に行うことが好ましい。
【００３８】
また、監視部３００は、その発光がユーザーから見えないように遮蔽して表示部２００の画像表示を妨げないようにしておくことが好ましい。
監視部３００には、監視部３００に駆動パルスが印加されたときの発光輝度（パルスあたりの発光量）を検出する輝度計３０１が取り付けられている。図示は省略するが、輝度計３０１は、監視部３００の表面を覆うように取り付けられた受光部と、当該受光部で受光した光を入射して光量に相当する電気信号に変換するフォトダイオードとを備える。そして、監視部３００にパルスが印加されるたびに監視部３００に放電電流が流れ、監視部３００は、その電流量に応じた発光量で発光するが、輝度計３０１はこのパルスあたりの発光量をＲ，Ｇ，Ｂ各色ごとに測定し、輝度情報として監視画素特性評価記憶部１０４に送る。
【００３９】
輝度計３０１については、フォトダイオードを受光部から離れた位置に設け、受光部で受光した光を光ファイバでフォトダイオードに導いてもよい。あるいは、フォトダイオードを監視部３００の各監視画素に近接して設置してもよい。
特に、監視画素を表示部２００の領域内に設ける場合には、このようにフォトダイオードを監視画素に近接して設ければ、表示部２００に表示される映像が遮られにくい点で好ましい。
【００４０】
監視部３００の形態について更に具体的に述べる。
本実施形態では、Ｒ色，Ｇ色，Ｂ色のセルごとに輝度情報を得ることができるように、監視部３００には、Ｒ色セル，Ｇ色セル及びＢ色セルが、それぞれ１セル以上設けられており、輝度計３０１も、Ｒ色セルからの発光量，Ｇ色セルからの発光量，Ｂ色セルからの発光量を、個別に測定できるようになっている。
【００４１】
ＰＤＰに設ける監視部３００の数は、一つだけでもよいが複数設けることが望ましい。
特に本実施形態のようにＲ，Ｇ，Ｂ各色セルごとに輝度情報を測定する場合には、監視部３００を３つ以上設け、輝度計３０１を各監視部３００ごとに設けることによって、各色の輝度情報を容易に測定することができる。
例えば、図２に示すＰＤＰにおいて、その四隅に監視部３００ａ〜３００ｄが設けられている。この場合、監視部３００ａはＲ色セルだけで構成してＲ色用の受光部を設け、監視部３００ｂはＧ色セルだけで構成してＧ色用の受光部を設け、監視部３００ｃはＢ色セルだけで構成してＢ色用の受光部を設け、各受光部で受光した光をフォトダイオードに入光させれば、各色の輝度情報を容易に測定することができる。この場合、各監視部３００ａ，３００ｂ，３００ｃでは、各セルを個別に点灯させる必要はないので、データ電極は省くことができる。
【００４２】
一方、表示部２００と同様にＲ色，Ｇ色，Ｂ色セルを配列させた監視部３００を一つだけ設ける場合でも、輝度計３０１でＲ色，Ｇ色，Ｂ色に分光してフォトダイオードで測定したり、Ｒ色用フォトダイオード，Ｇ色用フォトダイオード，Ｂ色用フォトダイオードで測定することによって、Ｒ，Ｇ，Ｂ各色の輝度情報を測定することが可能である。
特に、表示部２００に含まれる全ての表示用画素の一部に監視画素を兼用させる場合には、これらの画素から画像表示用に発せられる光を遮蔽しないように、フォトダイオードなど小型の検出素子を当該画素に設けることが好ましい。
【００４３】
なおこの他にも、監視部３００を複数設けることによって、下記の変形例で説明するようにいろいろな形態で補正することができる。
（特定画素と指定範囲とについて）
表示部２００を構成する全ての画素を特定画素として、その全ての画素について累積パルス数を記憶させてもよい。
【００４４】
しかし、大画面高精細ＰＤＰでは、全画素についてその累積パルス数を記憶させておくのは困難である。
従って、表示部２００全体を指定範囲とするか、あるいは表示部を複数の範囲に分割して各範囲を指定範囲とし、各指定範囲に含まれる画素の中から一部を特定画素として定める。
【００４５】
表示部２００を複数の指定範囲に分割する方法として、具体的には、横(2m+1)個、縦(2n+1)個の画素範囲(m，nは０から５の整数)を１つの指定範囲とする。そして、その指定範囲の中央付近に存在する画素を特定画素として定める。
図２に示す具体例では、各指定領域Ａ11〜ＡPQは、横５個×縦５個の２５画素から構成され、各指定領域の中央に位置する一画素を特定画素Ｂ11〜ＢPQとしている。
【００４６】
（ＰＤＰ駆動装置１００）  
上記のように、表示部２００に含まれる各画素は、赤色（R）セル、緑色（G）セル、青色（B）セルから構成されており、蛍光体の劣化速度はＲＧＢごとに異なるので、ＰＤＰ駆動装置１００では蛍光体の色ごとに補正を行なう。
ＰＤＰ駆動装置１００は、ブロック構成で示せば図１のとおりであるが、個々のブロックはプロセッサを主体に構成されているので、フローチャートで示すと図４〜８のようになる。
【００４７】
これらの図４〜８の内、図４は、メインのフローチャートである。メインフローは、図示はしないがそれを実行するプロセッサがあり、電源がオンされている間、他の各プロセッサの動作を監視する。
メインフローでは、電源がオンされると、まず、他のプロセッサを起動して保存データを読み込む（Ｓ１）。保存データとしては、前回の電源遮断がされる直前の累積パルス数とか、初期からの累積パルスの総数、監視画素に印加したパルスの総数など並びに他の各プロセッサの電源遮断直前のステータスである。読み込んだ保存データは、それぞれのプロセッサのメモリ、カウンタにセットされ、また、プロセッサのステータスを更新する。
【００４８】
この後、描画位置検出処理用プロセッサを起動して描画位置の検出を開始させると共に（Ｓ２）、表示する画像データについての累積パルス処理用プロセッサ（Ｓ３）、監視画素駆動処理用プロセッサ（Ｓ４）、補正処理用プロセッサ（Ｓ５）をそれぞれ監視する。なお、上記のように複数のプロセッサを用いなくてもすべての処理を１台のプロセッサで実行することもできるが、ＰＤＰの場合、映像データという大きなデータを高速に演算処理することが必要であるので、それぞれ別のプロセッサが並行して実行するのが望ましい。
【００４９】
すべてのプロセッサを起動させた後は、電源が遮断されるまで（Ｓ６）、各プロセッサの監視を継続する。電源が遮断されると、各プロセッサのデータを保存し（Ｓ７）、処理を終了する。
図５〜７が、他のプロセッサが行う処理を示すフローチャートである。
図１のブロックとの関係で言えば、図５の累積パルス処理は累積パルス数検出・記憶部１０２に該当し、図６の監視画素駆動処理は監視画素駆動部１０３と監視画素特性評価記憶部１０４に該当し、図７の補正処理は映像補正装置１０５に該当する。
【００５０】
図９は、ＰＤＰ駆動装置１００が行う処理のシーケンス図である。図は表示部が入力映像信号に基づき映像を表示している間、Ｓフィールド分の時間間隔で、その間の全特定画素の中から累積パルス数が最大のものを見つけ、監視画素をその最大累積パルス数で発光駆動するシーケンスを示している。Ｓフィールドは、任意の整数フィールドに定めることができるが、あまり、小さな値では、輝度劣化の変化が見られない場合が多いので、たとえば１０時間に相当するフィールド数、あるいは１００時間に相当するフィールド数程度に設定される。
【００５１】
各Ｓフィールドにおいて、監視画素が点灯駆動されるが、その終了直前に、監視画素の輝度を測定して、発光特性を求める。この発光特性情報を映像補正装置１０５に送り、補正データを算出し、指定領域毎に補正テーブルの更新をする。
図１０は、以下の説明で用いる描画位置の座標を示す説明図である。Ｈは水平方向の座標、Ｖは垂直方向の座標である。
【００５２】
図５の描画位置検出フローチャートは、入力映像信号１０１として受信する画像データの各瞬時における輝度データがどの描画位置に該当するかを検出する処理を示す。
図中、Ｈは水平描画位置カウンタのカウント値、Ｖは垂直描画位置カウンタのカウント値である。垂直同期信号Vｓｙｎｃを検出すると処理を開始し、Hカウンタは０に、Ｖカウンタは１にリセットされる（Ｓ１１）。そして、クロックを検出するたびに（Ｓ１２）、Ｈカウンタを１ずつアップする（Ｓ１３）。やがて、Ｈｓｙｎｃを検出すると（Ｓ１４）、Ｈカウンタをリセットし（Ｓ１５）、Ｖカウンタを１アップする（Ｓ１６）。
【００５３】
そして再び、Ｓ１２、１３、１４の処理を繰り返し、Hｓｙｎｃを検出するたびに、Ｖカウンタを１アップしてゆく。これを繰り返して行っているうちに、やがてＶｓｙｎｃを検出すると（Ｓ１７）、処理をＳ１１に戻し、Ｈ、Ｖカウンタをリセットする。
クロックを検出する各瞬時のＨカウンタの値と、Ｖカウンタの値とから、画像データの描画位置が求まる。この描画位置は、累積パルス数検出・記憶部１０２において、プロセッサの処理で言えば、累積パルス処理（Ｓ４、５）において用いられる。
【００５４】
次に、ＰＤＰ駆動装置の各部の動作を説明する。なお、各部の説明においては、概略を図１のブロック図で、詳細を図６以降のフローチャートを参照して説明する。
累積パルス数検出記憶部１０２：
累積パルス数検出記憶部１０２は、Ｒ，Ｇ，Ｂ各色について、各特定画素Ｂ11，Ｂ12‥‥Ｂ1Q、、Ｂ21，Ｂ22‥‥Ｂ2Q、‥‥‥ＢP1，ＢP2‥‥ＢPについて、所定のフィールド（ここではＳフィールド）ごとに、発光に寄与した維持パルス数を数えて、その間の累積パルス数を記憶する。
【００５５】
そして、累積パルス数の中の最大値（ＰkMax）を、監視画素駆動部１０３に知らせる。
ただし、累積パルス数検出記憶部１０２が検出・記憶する「累積パルス数」は、各特定画素に印加された維持パルスの中、実際に点灯に寄与した維持パルスを全て累積した数であってもよいし、その累積数を例えば一定数で割って簡略化した数であってもよい。なお、この「累積パルス数」は、当該特定画素の累積点灯時間にほぼ比例する。
【００５６】
表示部２００の各画素において、各色セルには入力画素信号の各色輝度値に比例した数の維持パルスが発光に寄与するので、入力映像信号の輝度値を特定画素累積パルス用メモリに累積記憶すれば、累積パルス数が記憶されることになる。
本実施形態では、特定画素のＲＧＢ各セルごとに累積パルス数を特定画素累積パルス用メモリーに記憶する。
【００５７】
特定画素累積パルス用メモリには、磁気メモリを用いればよいが、半導体メモリ、強誘電体メモリなどを用いることもできる。
累積パルス数検出記憶部１０２において特定画素累積パルス用メモリに累積記憶する動作の具体例を、図６のフローチャートに基づいて説明する。
ここで、図中用いる記号の説明をすると、Ｆは、フィールド番号であって、Vｓｙｎｃを検出する度に１アップされ、Ｓフィールド数に一致する度にリセットされる。
【００５８】
Hｉは、Hカウンタの各瞬時のカウント値、Vｊは、Vカウンタの各瞬時のカウント値である。
ＨＶ[][]は、特定画素の位置を示す配列である。配列の各要素（ＨＶ11、ＨＶ12、・・・ＨＶ21、ＨＶ22、・・・ＨＶpq）が１つの特定画素の位置を示している。
Pｉｊは、Ｈｉ、Ｖｊで与えられる位置の画素の輝度レベル、Pｋ[]は、特定画素カウンタの配列である。配列の各要素（Ｐｋ１、Ｐｋ２・・・Ｐｋｒ）が１つの特定画素カウンタである。
【００５９】
処理は、Ｈ、Ｖカウンタを監視することで開始する（Ｓ２１）。
最初、ＦとＰｋ[]の値を０にリセットし（Ｓ２２）、Ｈ，Ｖカウンタのカウント値ＨｉＶｊが、特定画素配列のいずれかの要素と等しいか監視する（Ｓ２３）。一致すると、その画素位置の輝度レベルＰijを検出し（Ｓ２４）、該当する特定画素カウンタＰkl（Ｐk[]配列のｌ番目と仮定している。）のカウント値に加算し、加算値を画素カウンタPｋｌに書き戻す（Ｓ２５）。
【００６０】
全特定画素についてＳ２３〜Ｓ２５の処理を終えると（Ｓ２６）、垂直同期信号Vｓｙｎｃを待って（Ｓ２８）、フィールド数Ｆを１アップし（Ｓ２９）、次のフィールドについてすべての特定画素の輝度レベルＰijを検出し、特定画素カウンタＰk[]に加算する。これを、次々到来するフィールドに対して行う。そして、フィールド数Ｆが、Ｓに一致すると（Ｓ２７）、そのときのすべての特定画素カウンタの最終加算値を出力するとともに（Ｓ３０）、その中の最大のカウント値を見つけ、その値を出力する（Ｓ３１）。この後、処理を終了し、再びＦ、Ｐk[]の値をリセットして、新たにＳフィールド分の各特定画素の輝度レベルの累積数を求める。
Ｓ３０で得られた各特定画素カウンタの値は、補正処理用のプロセッサに送られ、他方、Ｓ３１で得られた最大カウント値は監視画素駆動用プロセッサに送られる。
【００６１】
監視画素駆動部１０３：
監視画素駆動部１０３は、累積パルス数検出記憶部１０２から送られてくるＲ，Ｇ，Ｂ各色ごとの累積パルス情報（最大累積パルス数）に基づいて、Ｒ色用の監視部３００ａ，Ｇ色用の監視部３００ｂ，Ｂ色用の監視部３００ｃに駆動パルスを印加する。
すなわち、一定数Ｓフィールドが経過するごとに、累積パルス数検出記憶部１０２から各色の最大累積パルス値ＰkMaxが送られてくるので、監視部３００ａの累積パルス数がＲ色についての最大累積パルス値ＰkMaxに到達するまで、監視部３００ｂの累積パルス数がＧ色についての最大累積パルス値ＰkMaxに到達するまで、監視部３００ｃの累積パルス数がＧ色についての最大累積パルス値ＰkMaxに到達するまで駆動パルスを印加する。
【００６２】
これによって、監視部３００ａには、特定画素に含まれるＲ色セルの累積パルス数の最大値と累積パルス数が同等となるように、駆動パルスが印加される。また、監視部３００ｂ，３００ｃには、特定画素に含まれるＧ色，Ｂ色セルの累積パルス数の最大値と累積パルス数が同等となるように、駆動パルスが印加される。
監視画素特性評価記憶部１０４：
監視画素特性評価記憶部１０４は、監視画素駆動部１０３が監視部３００に印加するパルス数が一定数に達するごとに、各色用の輝度計３０１で計測する輝度情報（パルスあたりの発光量）を取り込み、その値から各色の監視部３００の発光特性を評価する。
【００６３】
そしてＲＧＢ各色について、評価した発光特性を監視部３００に印加された累積パルス数と対応付けて記憶する。
図７は、監視画素駆動部１０３および監視画素特性評価記憶部１０４が行う監視処理動作を示すフローチャートである。
図中の記号Ｐmは、監視画素に初期から印加した累積パルス数であって、図示はしないが特定のカウンタに保持されている。
【００６４】
最大累積パルス数Ｐkmaxを受け取ると（Ｓ４１）、累積パルス数Ｐmの値が、最大累積パルス数Ｐkmaxになるまで加算して（加算値Ｐkl）、初期から印加される累積パルス数がカウンタに保持する。そしえて、このときの加算値Ｐklだけ、監視画素部に駆動パルスを印加する（Ｓ４３，４４）とともに、輝度情報Ｌを得る（Ｓ４５，４６）。
そして、累積パルス数Ｐmと輝度情報Ｌとで監視部３００の発光特性を評価する。
【００６５】
図１１は、監視部３００に印加された累積パルス数と監視部３００の発光輝度との関係を示す図であって、監視画素特性評価記憶部１０４には、ＲＧＢ各色セルについて、この図１１に示すような累積パルス数と発光輝度との関係が記憶される。当図からわかるように、各色セルの劣化率は最初の所定時間が最も高く、その所定時間を過ぎると緩やかになる。その劣化の度合いは、赤色，緑色，青色、各色蛍光体で異なっている。
【００６６】
なお、監視画素特性評価記憶部１０４では、各色の輝度計３０１で測定した輝度値をそのまま発光特性として記憶してもよいが、輝度計３０１で測定した輝度値を輝度低下レベルに換算して、その輝度低下レベルを累積パルス数と対応付けて記憶してもよい。
例えば、図１１に示すように、初期の発光輝度に近い範囲を輝度低下レベル０とし、発光輝度が低下する度合いが大きくなるに従って、輝度低下レベルを１，２，‥‥，１０と順次大きく設定する。そして、この輝度低下レベルを累積パルス数と対応付けて、発光特性算出用メモリに記憶する。
【００６７】
このようにして、監視画素特性評価記憶部１０４には、Ｒ色，Ｇ色，Ｂ色ごとに、累積パルス数と発光特性との関係が記憶される。
監視画素特性評価記憶部１０４に記憶された関係は、監視部３００での測定結果を用いて作成したものであるが、表示部２００と監視部３００とが、同種の蛍光体が塗布され、同様の構成であるため、表示部２００の画素に対してもこの関係を適用することができる。
【００６８】
映像補正装置１０５：
映像補正装置１０５は、指定領域ごとに補正値を記憶する補正用テーブルを作製して、定期的に補正値を更新していく。
図１２は、補正用テーブルの一例を示す図であって、各指定領域Ａ11〜ＡPQごとに、Ｒ色セル，Ｇ色セル，Ｂ色セルの補正値が記憶されている。
【００６９】
図８は、補正テーブルを更新する処理を示すフローチャートである。
上記図６の累積パルス算出におけるステップＳ３０で出力された特定画素カウンタ配列Ｐk[]を、ステップＳ５１で受信すると、各特定画素について、初期からの累積パルス総数を求める（Ｓ５２）。図中、Ｐ１、Ｐ２、・・・Ｐｌは、各特定画素の累積パルス総数を示している。Ｐk1、Ｐk2・・・は、受信した特定画素配列Ｐk[]の各要素である。ステップＳ５２に示した演算を行うことにより、最新の累積パルス総数に更新される。
続いて、上記図７の処理を実行した結果得られる監視画素の発光特性情報を受信し（Ｓ５３）、各特定画素毎の累積パルス総数に対応させて、指定領域毎に発光特性（輝度低下レベル）を求める（Ｓ５４）。
【００７０】
このステップＳ５４で求めた発光特性は、特定画素の累積パルス数に基づいて求めたものでああるが、指定領域内の各画素の累積パルス数は特定画素の累積パルス数と同等であると見なして、指定領域に含まれる画素全体に適用する。
そしてステップＳ５４で求めた発光特性（輝度低下レベル）に基づいて色ごとの補正値を求める（Ｓ５５）。
【００７１】
このステップＳ５５において、輝度低下レベルから補正値を求める方法としては、例えば、ステップＳ５４で求めた各色の輝度低下レベル値に一定の係数をかけて整数化した値を各色の補正値とする。
なお、図１２に示される補正用テーブルは、輝度低下レベル値をそのまま補正値として用いる場合（一定の係数が１の場合）の例を示している。
【００７２】
そして、補正用テーブルに記憶されている各色の補正値を、ステップＳ５５で求めた各色の補正値に更新する（Ｓ５６）。
以上の動作によって補正用テーブルに記憶されている各色の補正値は、所定期間ごと（一定数のフィールドＳが経過するごと）に、発光特性算出用メモリに記憶された累積パルス数と輝度低下レベルとの関係に基づいて更新されることになる。
【００７３】
次に、上記補正用テーブルを用いて映像補正装置１０５が行なう補正動作について説明する。
映像補正装置１０５は、画素信号が入力されると、当該入力画素信号が属する指定領域を判定する。この判定は、入力画素信号の描画位置を、図５に示したのと同様の方法で検出し、その描画位置座標が、どの指定領域に属するかを判定することにより行なえる。
【００７４】
続いて、上記補正用テーブルを参照して、該当指定領域の欄に記憶されている各色の補正値を求める。そして求めた各色の補正値を、入力画素信号の各色階調値に加算し、補正後の画素信号を表示駆動部１１０に送る。
以上の動作によって、各指定領域Ａ11〜ＡPQごとの入力映像信号１０１は、当該指定領域に対応する特定画素の累積パルス数と、監視画素を用いて測定した累積パルス数と輝度低下レベルとの関係とに基づいて補正され、補正映像信号１０６として表示駆動部１１０に送られることになる。
【００７５】
なお、ここでは、映像補正装置１０５がLookup Table（補正用テーブル）を参照して補正値を求める例を示したが、映像補正装置１０５が、発光特性算出用メモリに記憶されている累積パルス数と輝度低下レベルとの関係を参照して、該当する輝度低下レベルを求め、求めた輝度低下レベルから補正値を算出するようにしてもよい。
（本実施形態のＰＤＰ装置による効果）
（１）本実施形態にかかるＰＤＰでは、指定領域Ａ11〜ＡPQ内の各画素と、監視画素とは、セルの構成が同様であり且つ同一パネル内に設けられており、また、ほぼ同様の条件で駆動パルスが印加されるので、ＰＤＰがどのような環境で使用されても、指定領域Ａ11〜ＡPQ内の各画素と、監視画素とは、発光特性の変化度合い（蛍光体の劣化度合い）は同様と見なすことができる。
【００７６】
従って、本実施形態ののＰＤＰ装置によれば、ＰＤＰがどのような環境で使用されても、その使用環境における蛍光体の劣化度合いが検出され、それに基づいて補正がなされるので、使用環境に関わらず正確な補正がなされる。
一方、予め累積パルス数と蛍光体の特性との関係を測定しておいて、それを用いて同様の補正をすることもでるが、この場合、実際に使用する環境が測定時の環境と異なる場合には、正確な補正ができない。
【００７７】
（２）本実施の形態では、表示部２００が複数の指定範囲Ａ11〜ＡPQに分割され、各指定領域Ａ11〜ＡPQごとに特定画素の累積パルス数に基づいて発光特性低下の補正がなされるので、指定領域Ａ11〜ＡPQ間における発光特性のばらつきが低減される。
（３）本実施形態では、各指定範囲Ａ11〜ＡPQに含まれる画素の中から一部を特定画素として定め、特定画素についてのみ累積パルス数を記憶しているので、表示部２００を構成する全ての画素を特定画素とする場合と比べて、特定画素累積パルス用メモリのメモリ量を低減することができる。
【００７８】
すなわち、表示部２００を構成する全ての画素を特定画素として、その全ての画素について累積パルス数を特定画素累積パルス用メモリに記憶させてもよいが、その場合、大きなメモリ量が必要となり、特に大画面高精細ＰＤＰでは多大なメモリ容量が必要となるので実施することが難しい。一方、本実施形態のように、指定領域を代表する一部の画素についてのみ累積パルス数を記憶する場合はメモリ量を大幅に低減でき、従って、大画面高精細ＰＤＰでも容易に実施できる。
【００７９】
また特定画素累積パルス用メモリのメモリ量を低減することによって、当該メモリの回路の負担を低減するとともにメモリが占めるスペースも低減できる。
指定範囲に含まれる全画素数に対する特定画素数の割合については、当該割合を大きく設定するほど、多くの画素について累積パルス数を測定することになるので、補正を正確に行なうのに有利であるが、メモリ量軽減効果は小さくなる。
【００８０】
（４）各特定画素Ｂ11〜ＢPQは、各指定領域Ａ11〜ＡPQの中央付近に位置しており、各指定領域Ａ11〜ＡPQに含まれる全ての画素は、各特定画素Ｂ11〜ＢPQから近い位置に存在するので、両者の画素信号は類似している可能性が高い。
従って、各特定画素Ｂ11〜ＢPQの累積パルス数と、指定領域Ａ11〜ＡPQに含まれる各画素の累積パルス数とが近似する可能性が高い。よって、上記ステップＳ５４，５５のように、各特定画素Ｂ11〜ＢPQの累積パルス数を、指定領域Ａ11〜ＡPQに含まれる各画素の累積パルス数と見なしても、比較的正確な補正を行なうことができる。
【００８１】
以下に、本実施形態のＰＤＰ装置について各種変形例を説明するが、これら変形例においても、ＰＤＰを使用する環境にかかわらずに正確な補正ができる点は同様である。
（特定画素累積パルス用メモリを設置する場所）
特定画素累積パルス用メモリは、ＰＤＰの基板上に設けることも可能であるが、指定範囲に含まれる全画素数に対する特定画素数の割合が大きい場合、例えば８０％を超える場合には、特定画素累積パルス用メモリをＰＤＰの外部に設けることが好ましい。
【００８２】
例えば、特定画素累積パルス用メモリを含め特定画素累積パルス数検出・記憶部１０２をＰＤＰの外部に設けてもよい。また、特定画素累積パルス数検出・記憶部１０２だけでなく、監視画素特性評価記憶部１０４や、監視画素駆動部１０３や映像補正装置１０５についても外部に設けることができる
また、ＰＤＰ駆動装置１００の本体部分とは別に、サーバーを設けてそこに特定画素累積パルス用メモリを設けてもよい。この場合、ＰＤＰ駆動装置１００の本体部分とサーバーとを、インターネット回線を介して接続することも可能である。
【００８３】
また、特定画素累積パルス用メモリを、ＰＤＰの基板上と外部との両方に設けてもよい。すなわち、通常使用する特定画素累積パルス用メモリを外部に設けるとともに、補助用の特定画素累積パルス用メモリをＰＤＰの基板上に設けておき、外部のメモリとＰＤＰ本体とを連結する線が切断された場合には即座に補助用の特定画素累積パルス用メモリに切り替わるような仕組みとしても良い。
【００８４】
（監視画素駆動部１０３の動作についての変形例）
上記説明では表示部２００と監視部３００に印加する累積パルス数が同程度になるように監視画素駆動部１０３が印加する駆動パルスを制御する例を示したが、監視画素駆動部１０３が一定時間に常時一定数の駆動パルスを印加するようにしてもよい。
例えば、ＰＤＰの単位駆動時間において表示部２００の画素に印加される最大パルス数を予測しておいて、監視画素駆動部１０３は、ＰＤＰが駆動しているときは常にその最大パルス数を監視部３００に印加するようにしてもよい。
【００８５】
（累積パルス数の検出・記憶についての変形例）
上記説明では、特定画素累積パルス数検出・記憶部１０２は、表示部２００の各特定画素に印加される維持パルスの中で、点灯に寄与した維持パルス全てを累積したものを累積パルスとして検出・記憶することとしたが、特定画素の累積点灯時間を測定して記憶してもよい。
【００８６】
また、特定画素累積パルス数検出・記憶部１０２は、各特定画素について特定画素点灯に寄与した維持パルス全てを累積する代わりに、入力映像信号１０１が動画に係るものか静止画に係るものかを判定する判定部をＰＤＰ駆動装置１００に設けて、点灯に寄与した維持パルスの中で、静止画を表示するのに係る維持パルスだけを累積して累積パルス数として記憶するようにしてもよい。上記の判定部が動画／静止画を判定する方法としては、例えば、指定領域ごとに、一定時間（例えば３０秒間）以上、入力される映像信号に変化がない場合には静止画と判定する。そして、ＰＤＰ駆動装置１００においては、特定画素累積パルス数検出・記憶部１０２に記憶された静止画相当の累積パルス数に基づいて、同様の補正を行なう。
【００８７】
一般的に、静止画像を表示する時には蛍光体が焼き付いて劣化が生じやすいが、このように静止画相当の累積パルス数に基づいて補正を行なうことによって、静止画像表示による蛍光体劣化に注目した補正を行なうことができる。
このように、静止画に着目した補正を行なう場合、監視画素駆動部１０３は、監視部３００に常時駆動パルスを印加して点灯するようにしてもよい。
【００８８】
一方、これとは逆に、特定画素ごとに点灯に寄与した維持パルスの中で、動画を表示するのに係る維持パルスだけを累積して累積パルス数として記憶し、動画に相当する累積パルスを印加して点灯させる動画用監視画素を設けることによって、動画画像表示による蛍光体劣化に注目した補正を行なうこともできる。
なお、上記説明ではＰＤＰ固有のパルス発光回数から累積パルス数をカウントすることで状態を監視するものであったが、他の方法で行っても同様の動作が可能である。例えば、入力映像信号（プログレッシブ変換されているためデジタル化されている）の値そのものを演算する方法がある。動作フローチャートとしては、図５の画面位置確定は同様、演算として図６のフローチャートの構成は同じであるが、Ｓ２２，Ｓ２４，Ｓ２５，Ｓ３０，Ｓ３１のＰｋを８ビット〜１２ビットの映像信号の値に置き換えて映像信号のＭａｘ並びに特定画素の累計値を出力する。その後出力された値から累計パルス数へあらかじめ定めたルックアップテーブルから変換する、ないし直接補正値へ変換してもよい。またその際、全部のビットを演算せずとも例えば上位４ビットの演算で行っても累積誤差は大きいとは言えず、回路規模を縮小することも可能である。
【００８９】
（映像補正装置１０５による補正方法について）
上記説明のように、映像補正装置１０５が、入力画素信号の各色階調値に、輝度劣化レベル相当の補正値を加算する補正を行なう例を示したが、逆に、映像補正装置１０５は、入力画素信号が属する指定領域以外の指定領域に対して、輝度劣化レベル相当の補正値を減算する補正を行なうことによっても、同様に、指定領域Ａ11〜ＡPQ間における発光特性のばらつきは低減される。
【００９０】
加算法の場合には、全体的に補正後の画素信号の階調値が入力画素信号の階調値よりも大きくなり、入力映像信号と比べて補正映像信号の全体的な階調が高くなって駆動パルス数が増加するが、減算法の場合、入力映像信号と比べて補正映像信号の全体的な階調は低くなり駆動パルス数は減る。
あるいは、全ての入力画素信号に対して一律に所定の階調値を引いた後に、上記加算法と同様の輝度劣化レベル相当の補正値を加算する補正を行なえば、補正映像信号の全体的な階調値を入力映像信号の全体的な階調値と同等に保ちながら、あるいはより低く抑えながら、指定領域Ａ11〜ＡPQ間における発光特性のばらつきを低減することができる。
【００９１】
以上の説明では、映像補正装置１０５が入力映像信号１０１の階調値を補正して補正映像信号１０６を表示駆動部１１０に送ることによって、表示駆動部１１０が表示部２００の各画素を点灯させるパルス数が補正されるようにしたが、この他に、表示駆動部１１０が表示部２００を駆動する際のモード数（サブフィールドにおいて、輝度重み１当りに印加される維持パルス数）を補正する方法を用いることも考えられる。
【００９２】
例えば、表示駆動部１１０において、輝度重み１当たりの維持パルス数（モード数）を変更できるようにしておき、初期においてはモード数を３に設定しておいて、映像補正装置１０５は、補正用テーブルを参照して、表示部２００の全体的な輝度劣化レベルを調べ、低下した度合いに応じて、モード数を４、５、６‥と切り替えるように表示駆動部１１０に指示する。これによって、表示部２００の劣化が進むに従って表示駆動部１１０が表示部２００の各画素を点灯させるパルス数が全体的に増加するので、表示部２００の全体的な輝度低下は低減される。
【００９３】
なお、このようなモード補正だけでは、指定領域間の輝度ばらつきを低減することはできないが、入力映像信号１０１の階調値補正とモード補正とを組み合わせて行なってもよい。例えば、映像補正装置１０５は、上記の加算法を実施するとともに、表示部２００の全体的な輝度劣化レベルを調べ、低下した度合いに応じて、モード数を徐々に下げるように表示駆動部１１０に指示する。これによって、全体的な駆動パルス数をほぼ一定に保ちながら、指定領域間の輝度ばらつきを低減することもできる。
【００９４】
また、表示駆動部１１０が表示部２００の各画素を点灯させるパルス数を補正する以外に、維持期間において表示電極２１２，２１３間に維持パルスを印加するのに合わせて、データ電極２２２にパルスを印加する方式を用いて補正してもよい。すなわち、維持期間において表示電極２１２，２１３間に維持パルスを印加するのに合わせて、データ電極２２２にパルスを印加すれば、維持パルス１つあたりの発光量を増大させることができ、且つ、データ電極２２２にパルスを印加するタイミングやパルス電圧によって発光量が変わるので、このデータ電極２２２に印加するパルスのタイミングやパルス電圧を制御することによって補正してもよい。  
【００９５】
（監視部３００の形態に関する変形例）
上記説明では、監視部３００ａでＲ色の輝度情報、監視部３００ｂでＧ色の輝度情報、監視部３００ｃでＢ色の輝度情報を測定する例を示したが、４つの監視部３００ａ〜３００ｄのいずれにも、Ｒ色セル，Ｇ色セル，Ｂ色セルを設けて、各監視部３００ａ〜３００ｄでそれぞれ３色の輝度情報を測定するようにしてもよい。
【００９６】
この場合、監視画素特性評価記憶部１０４では、各監視部３００ａ〜３００ｄで測定した４つの輝度情報を用いれば、ＰＤＰ装置のパネル面内で場所ごとに使用環境（温度など）のばらつきがある場合にも、その面内ばらつきによって補正ずれが生じるのを抑えることができる。例えば、監視部３００が一箇所だけに設けられている場合、面内で使用環境にばらつきがあると、監視部３００と表示部２００とで使用環境が大きく異なることによって補正ずれが生じることがある。これに対して、複数の監視部３００と表示部２００との間で使用環境が大きく異なる可能性は少ないので、４つの輝度情報を平均化して用いれば、大きな補正ずれが生じるを防止することができる。
【００９７】
あるいは、各監視部３００ａ〜３００ｄで測定した４つの輝度情報を、監視画素特性評価記憶部１０４、映像補正装置１０５で個別に用いてもよい。例えば、表示部２００を上下および左右に分割して４つの領域に分け、監視部３００ａで測定した輝度情報は左上領域、監視部３００ｂで測定した輝度情報は右上領域、監視部３００ｃ測定した輝度情報は左下領域、監視部３００ｄで測定した輝度情報は右下領域を補正するのに用いる。これによって、表示部２００における４つの各領域では、その近くに位置する監視部で測定した輝度情報に基づいて補正がなされるので、パネル面内で場所ごとに使用環境が異なっていても、各場所の使用環境に応じた補正がなされる。
【００９８】
このように、監視部３００を２箇所以上に設置することによって、ＰＤＰ装置の面内における場所ごとに環境のばらつきがある場合にも、それに対応した補正ができる。
これまでの説明では基本的に、監視部３００を表示部２００とは別の領域に設け、表示駆動部１１０とは別の監視画素駆動部１０３で駆動することとしたが、表示部２００及び監視部３００にわたって、共通の表示電極２１２、２１３あるいはデータ電極２２２を配設して、表示部２００及び監視部３００を共通の駆動回路で駆動させることも可能である。
【００９９】
特に、上述したように監視画素を表示部２００の領域内に設ける場合、表示部２００及び監視画素を共通の駆動回路で駆動させることは容易である。
（監視部３００の特性測定についての変形例）
上記説明では、監視部３００の発光特性を測定するのに、輝度計３０１を用いて監視部３００の輝度を測定したが、色度計を用いて監視部３００の色度を測定してもよい。この場合、監視画素特性評価記憶部１０４では、累積パルス数に対応して監視画素におけるＲ，Ｇ，Ｂ各色セルごとの色度を評価記憶し、映像補正装置１０５では、当該色度の変化を補うように、あるいは、白色バランスのずれを小さく抑えるように、入力画素信号のＲ，Ｇ，Ｂ輝度値を補正する。
【０１００】
また、監視部３００の発光特性を測定するのに、輝度計，色度計といった光学的測定器を用いる代わりに、発光特性と相関関係を有する電気的特性を測定してもよい。例えば、放電セルにおける壁電荷チャージ量と発光特性とは相関関係を有すると考えられるので、監視部３００におけるＲ，Ｇ，Ｂ各色セルごとに壁電荷チャージ量を測定し、１０４でこの壁電荷チャージ量を累積パルス数と対応づけて記憶しておけば、映像補正装置１０５では、記憶された情報（壁電荷チャージ量を累積パルス数との関係）を用いて同様に補整することができる。
【産業上の利用可能性】
【０１０１】
本発明にかかるＰＤＰ装置によれば、使用環境にかかわらず、長期にわたって蛍光体の経時劣化による輝度ムラや色度ムラを防ぐことができ、均一的な映像を得ることができる。従って、本発明は特に、高温下で使用するものをはじめとして蛍光体が劣化しやすい環境下で使用するＰＤＰ装置に適している。
【図面の簡単な説明】
【０１０２】
【図１】実施形態にかかるＰＤＰ駆動装置の構成を示す回路ブロック図である。
【図２】実施形態にかかるＰＤＰの構成を示す平面図である。
【図３】上記ＰＤＰにおける表示部の一部分を示す斜視図である。
【図４】ＰＤＰ駆動装置１００のメイン動作を示すフローチャートである。
【図５】累積パルス処理の動作を示すフローチャートである。
【図６】特定画素累積パルス用メモリに累積記憶する動作を示すフローチャートである。
【図７】監視処理動作を示すフローチャートである。
【図８】補正テーブル更新する処理を示すフローチャートである。
【図９】ＰＤＰ駆動装置１００が行う処理のシーケンス図である。
【図１０】描画位置の座標を示す説明図である。
【図１１】監視部３００に印加された累積パルス数と発光輝度との関係を示す図である。
【図１２】補正用テーブルの一例を示す図である。
【符号の説明】
【０１０３】
１００    ＰＤＰ駆動装置
１０２    累積パルス数検出記憶部
１０３    監視画素駆動部
１０４    監視画素特性評価記憶部
１０５    映像補正装置
１１０    表示駆動部
２００    表示部
２２５    蛍光体層
３００    監視部
３０１    輝度計
【図１】
2006292860.tif 000003
【図２】
2006292860.tif 000004
【図３】
2006292860.tif 000005
【図４】
2006292860.tif 000006
【図５】
2006292860.tif 000007
【図６】
2006292860.tif 000008
【図７】
2006292860.tif 000009
【図８】
2006292860.tif 000010
【図９】
2006292860.tif 000011
【図１０】
2006292860.tif 000012
【図１１】
2006292860.tif 000013
【図１２】
2006292860.tif 000014